(57)【要約】      （修正有）【課題】ユーザの背部をサポートする効果が向上する椅子用緩衝装置を提供する。【解決手段】椅子の第一部分と、前記第一部分に対して第一位置と第二位置との間に揺動可能な第二部分と、の間に設けられており、延在部３１と、固定ロッド３２と、ピンと、弾性子３５と、を含む椅子用緩衝装置において、前記延在部は、前記第二部分から延在しており、その上で規制溝３１１が開設されており、前記固定ロッドは、前記延在部に対応し、前記第一部分に固定された連接部に貫入されている第一端と、第二端と、を含み、前記第一端と前記第二端との間には凸縁３２４が設けられており、前記ピンは、前記固定ロッドの第二端に固定されており、前記規制溝に貫入されており、前記規制溝により前記第二端のストロークが規制され、前記弾性子は、前記固定ロッドの前記第一端と前記凸縁との間に嵌め設けられており、一端が前記凸縁に押し付けられており、他端が前記連接部に押し付けられている。【選択図】図４
0003149433.tif 000002
【実用新案登録請求の範囲】
【請求項１】
椅子の第一部分と、前記椅子の第一部分に対して第一位置と第二位置との間に揺動可能な椅子の第二部分と、の間に設けられており、延在部と、固定ロッドと、ピンと、弾性子と、を含む椅子用緩衝装置において、
前記延在部は、前記第二部分から延在しており、その上で規制溝が開設されており、
前記固定ロッドは、前記延在部に対応し、前記第一部分に固定された連接部に貫入されている第一端と、第二端と、を含み、前記第一端と前記第二端との間には凸縁が設けられており、
前記ピンは、前記固定ロッドの第二端に固定されており、前記規制溝に貫入されており、前記規制溝により前記第二端のストロークが規制され、
前記弾性子は、前記固定ロッドの前記第一端と前記凸縁との間に嵌め設けられており、一端が前記凸縁に押し付けており、他端が前記連接部に押し付けており、
前記弾性子が前記連接部と前記凸縁とに常時に押し付けていることにより、前記延在部が前記固定ロッドに支持され、且つ外力を受けていないときに、前記第二部分が前記弾性子に付勢されて第一位置に位置し、なお、外力を受けているときに、前記第二部分が第一位置から第二位置に揺動するようになり、これにより、前記弾性子の変形量が増加することを特徴とする、椅子用緩衝装置。
【請求項２】
前記連接部は、補償子と、連接穴が開設された連接片と、を含み、前記補償子の一部と前記第一部分とが互いに固定されており、なお、前記弾性子の前記凸縁から遠ざかった一端が押し付けている前記連接片は、前記補償子に固定されており、前記連接穴には前記固定ロッドの前記第一端が貫入されていることを特徴とする、請求項１に記載の椅子用緩衝装置。
【請求項３】
前記固定ロッドの前記第一端には離脱防止用ピンが設けられていることを特徴とする、請求項２に記載の椅子用緩衝装置。
【請求項４】
更に、定位ナットを含み、前記連接部は、補償子と、二つの連接片と、を含み、前記二つの連接片には、連接穴がそれぞれ開設されており、上下に並んでおり、前記補償子の一部と前記第一部分とが互いに固定されており、なお、前記二つの連接片が前記補償子に固定されており、前記二つの連接片のうちの前記凸縁に近接する前記連接片には、前記弾性子の前記凸縁から遠ざかった一端が押し付けられており、前記固定ロッドには、前記定位ナットが螺着されている螺旋段が設けられており、前記規制ナットの穴径が前記連接穴の穴径よりも大きいことにより、前記定位ナットが前記二つの連接片の間だけに移動可能であることを特徴とする、請求項１に記載の椅子用緩衝装置。
【請求項５】
椅子の第一部分と、前記椅子の第一部分に対して第一位置と第二位置との間に揺動可能な椅子の第二部分と、の間に設けられており、固定ロッドと、ピンと、弾性子と、を含む椅子用緩衝装置において、
前記固定ロッドは、前記第二部分の規制溝に対応しており、前記第一部分に固定された連接部に貫入されている第一端と、第二端と、を含み、前記第一端と前記第二端との間には凸縁が設けられており、
前記ピンは、前記固定ロッドの第二端に固定されており、前記規制溝に貫入されており、前記規制溝により前記第二端のストロークが規制され、
前記弾性子は、前記固定ロッドの前記第一端と前記凸縁との間に嵌め設けられており、一端が前記凸縁に押し付けられており、他端が前記連接部に押し付けられており、
前記弾性子が前記連接部と前記凸縁とに常時に押し付けられていることにより、前記第二部分が前記固定ロッドに支持され、且つ外力を受けていないときに、前記第二部分が前記弾性子に付勢されて第一位置に位置し、なお、外力を受けているときに、前記第二部分が第一位置から第二位置に揺動するようになり、これにより、前記弾性子の変形量が増加することを特徴とする、椅子用緩衝装置。
【考案の詳細な説明】
【技術分野】
【０００１】
本考案は、緩衝装置に係り、特に椅子に適用可能な椅子用緩衝装置に関するものである。
【背景技術】
【０００２】
従来、背当りが３６０度に旋回することができる椅子が提案されたが、前記背当りがユーザの肩部又はヘッド部まで延長する場合には、前記背当りの重心が前記背当りの枢着箇所と相違するので、ユーザがこのような椅子に座ると、重力により前記背当りが倒れ易く、且つ従来の背当りはユーザの背部をサポートする力が不足している。
【考案の概要】
【考案が解決しようとする課題】
【０００３】
本考案の主な目的は、ユーザの背部をサポートする効果が向上する椅子用緩衝装置を提供することにある。
【課題を解決するための手段】
【０００４】
本考案の請求項１に記載の椅子用緩衝装置によると、椅子の第一部分と、前記第一部分に対して第一位置と第二位置との間に揺動可能な第二部分と、の間に設けられ、延在部と、固定ロッドと、ピンと、弾性子と、を含む椅子用緩衝装置において、前記延在部は、前記第二部分から延在し、その上で規制溝が開設され、前記固定ロッドは、前記延在部に対応し、前記第一部分に固定された連接部に貫入されている第一端と、第二端と、を含み、前記第一端と前記第二端との間には凸縁が設けられ、前記ピンは、前記固定ロッドの第二端に固定され、前記規制溝に貫入され、前記規制溝により前記第二端のストロークが規制され、前記弾性子は、前記固定ロッドの前記第一端と前記凸縁との間に嵌め設けられ、一端が前記凸縁に押し付けられ、他端が前記連接部に押し付けられ、前記弾性子が前記連接部と前記凸縁とに常時に押し付けられていることにより、前記延在部が前記固定ロッドに支持され、且つ外力を受けていないときに、前記第二部分が前記弾性子に付勢されて第一位置に位置し、なお、外力を受けているときに、前記第二部分が第一位置から第二位置に揺動するようになり、これにより、前記弾性子の変形量が増加することを特徴とする椅子用緩衝装置である。
【０００５】
本考案の請求項２に記載の椅子用緩衝装置によると、前記連接部は、補償子と、連接穴が開設された連接片と、を含み、前記補償子の一部と前記第一部分とが互いに固定され、なお、前記弾性子の前記凸縁から遠ざかった一端が押し付けられている前記連接片は、前記補償子に固定され、前記連接穴には前記固定ロッドの前記第一端が貫入されている。
【０００６】
本考案の請求項３に記載の椅子用緩衝装置によると、前記固定ロッドの前記第一端には離脱防止用ピンが設けられている。
【０００７】
本考案の請求項４に記載の椅子用緩衝装置によると、更に、定位ナットを含み、前記連接部は、補償子と、二つの連接片と、を含み、前記二つの連接片には、連接穴がそれぞれ開設され、上下に並んでおり、前記補償子の一部と前記第一部分とが互いに固定され、なお、前記二つの連接片が前記補償子に固定され、前記二つの連接片のうちの前記凸縁に近接する前記連接片には、前記弾性子の前記凸縁から遠ざかった一端が押し付けられ、前記固定ロッドには、前記定位ナットが螺着されている螺旋段が設けられ、前記規制ナットの穴径が前記連接穴の穴径よりも大きいことにより、前記定位ナットが前記二つの連接片の間だけに移動可能である。
【０００８】
本考案の請求項５に記載の椅子用緩衝装置によると、椅子の第一部分と、前記第一部分に対して第一位置と第二位置との間に揺動可能の第二部分と、の間に設けられ、固定ロッドと、ピンと、弾性子と、を含む椅子用緩衝装置において、前記固定ロッドは、前記第二部分の規制溝に対応しており、前記第一部分に固定された連接部に貫入されている第一端と、第二端と、を含み、前記第一端と前記第二端との間には凸縁が設けられ、前記ピンは、前記固定ロッドの第二端に固定され、前記規制溝に貫入され、前記規制溝により前記第二端のストロークが規制され、前記弾性子は、前記固定ロッドの前記第一端と前記凸縁との間に嵌め設けられ、一端が前記凸縁に押し付けられ、他端が前記連接部に押し付けられ、前記弾性子が前記連接部と前記凸縁とに常時に押し付けられていることにより、前記第二部分が前記固定ロッドに支持され、且つ外力を受けていないときに、前記第二部分が前記弾性子に付勢されて第一位置に位置し、なお、外力を受けているときに、前記第二部分が第一位置から第二位置に揺動するようになり、これにより、前記弾性子の変形量が増加することを特徴とする椅子用緩衝装置である。
【考案の効果】
【０００９】
本考案の椅子用緩衝装置によれば、ユーザの背部をサポートする効果が向上するという効果を有する。
【図面の簡単な説明】
【００１０】
【図１】本考案の実施例１に係る椅子用緩衝装置の分解斜視図。
【図２】本考案の実施例１に係る椅子用緩衝装置の組合状態の模式図。
【図３】本考案の実施例１に係る背当りが第一の位置に位置している状態の模式図。
【図４】本考案の実施例１に係る背当りが第二の位置に位置している状態の模式図。
【図５Ａ】本考案の実施例２に係る椅子用緩衝装置の側面図。
【図５Ｂ】本考案の実施例２に係る椅子用緩衝装置の一部の側面図。
【図６Ａ】本考案の実施例３に係る椅子用緩衝装置の側面図。
【図６Ｂ】本考案の実施例３に係る椅子用緩衝装置の側面図。
【図７Ａ】本考案の実施例４に係る椅子用緩衝装置の模式図。
【図７Ｂ】本考案の実施例４に係る椅子用緩衝装置の一部の側面図。
【図７Ｃ】本考案の実施例４に係る椅子用緩衝装置の一部の側面図。
【図８Ａ】本考案の実施例５に係る椅子用緩衝装置の側面図。
【図８Ｂ】本考案の実施例５に係る椅子用緩衝装置の側面図。
【考案を実施するための形態】
【００１１】
以下、本考案の実施の形態を図面に基づいて説明する。
【実施例１】
【００１２】
まず、図１乃至図３を参照する。本考案の実施例１において、椅子は、本体１０と、背当り２０と、二つの緩衝装置３０と、を含む。
【００１３】
本体１０は、座当り１１と、支持部１３と、を含む。本体１０の座当り１１には、上に伸びている一対の連結部１１１が設けられており、座当り１１の下面には座当り１１を支持する支持部１３が設けられている。また、椅子の両側に手すりを設けてもよい。本実施例では、一対の連結部１１１が手すりとされる。
【００１４】
背当り２０は、連結部１１１の自由端にそれぞれ枢着されている一対の枢着軸２１を含み、これにより、背当り２０が枢着軸２１に対して第一位置と第二位置との間に揺動可能である。本実施例では、背当り２０は、二つのフレーム２２と、二つのフレーム２２の間に設けられた多数のロッド（図示せず）と、を含み、前記ロッドには多数の突起が設けられた按摩スリーブ２４が嵌め設けられており、これらの按摩スリーブ２４が前記ロッドに対して回動可能であり、なお、フレーム２２には枢着軸２１が設けられている。
【００１５】
本実施例では、緩衝装置３０が本体１０と背当り２０との間に設けられており、本体１０の座当り１１が第一部分とされ、なお、背当り２０が第二部分とされる。具体的には、二つの緩衝装置３０が背当り２０のフレーム２２と、座当り１１と、の間に設けられている。緩衝装置３０は、延在部３１と、固定ロッド３２と、連接部３３と、ピン３４と、弾性子３５と、を含む。
【００１６】
延在部３１は、背当り２０のフレーム２２から後ろへ延在しており、具体的には、フレーム２２の枢着軸２１の近傍から後ろへ延在しており、その上で規制溝３１１が開設されている。固定ロッド３２は、延在部３１に対応し、前記第一部分に固定された連接部３３に貫入されている第一端３２１と、第二端３２２と、を含み、第二端３２２には貫通孔（図示せず）が開設されており、第一端３２１と第二端３２２との間には凸縁３２４が設けられている。
【００１７】
本体１０には連接部３３が固定されており、本実施例では、連接部３３と座当り１１とが互いに固定されており、連接部３３は、補償子３３１と、連接穴（図示せず）が開設された二つ連接片３３２と、を含み、補償子３３１の一部と、本体１０の座当り１１と、が互いに固定されており、なお、連接片３３２は、補償子３３１に固定されており、且つ連接片３３２の連接穴には固定ロッド３２の第一端３２１が貫入されている。
【００１８】
ピン３４は、固定ロッド３２の貫通孔と、延在部３１の規制溝３１１と、に貫入されており、規制溝３１１により固定ロッド３２の第二端３２２のストロークが規制される。また、弾性子３５は、固定ロッド３２の第一端３２１と凸縁３２４との間に嵌め設けられており、具体的には、その一端が凸縁３２４に押し付けており、他端が連接部３３の凸縁３２４に近接する連接片３３２に押し付けている。
【００１９】
図３に示すように、弾性子３５が連接部３３と凸縁３２４とに常時に押し付けており、連接部３３が本体１０に固定されていることにより、延在部３１が固定ロッド３２に支持され、且つ外力を受けていないときに、背当り２０が弾性子３５に付勢されて第一位置に位置し、なお、外力を受けている（例えばユーザの背部が背当り２０に寄らせる）ときに、背当り２０が第一位置から第二位置に揺動するようになり、これにより、弾性子３５の変形量が増加し、ピン３４が延在部３１に設けられた規制溝３１１をスライドすることができる。
【実施例２】
【００２０】
本考案の実施例２では、椅子が更に枕４０を有し、枕４０は二つの枢着軸４１を有し、枢着軸４１により枕４０が背当り２０と連接するようになり、且つ枕４０と背当り２０との間には二つの緩衝装置５０が左右に設けられている。なお、背当り２０が第一部分とされ、枕４０が第二部分とされる。枕４０と背当り２０との間に設けられた緩衝装置５０の部材及び原理は、上記の緩衝装置３０と同じであるので、説明を省略した。図５Ａに示すように、外力を受けているときに、枕４０が枢着軸４１に対して揺動可能であり、なお、外力を受けていないときに、緩衝装置５０により枕４０が元の位置に戻される。
【実施例３】
【００２１】
本考案の実施例３では、椅子には互いに枢着してされる多数の関節部６０を設けてもよく、且つ隣接する関節部６０同士の間には二つの緩衝装置６０が左右に設けられている。上下に隣接する関節部６０同士において、上にある関節部６０は下にある関節部６０に対して揺動可能であり、また、下にある関節部６０が第一部分とされ、上にある関節部６０が第二部分とされる。最も底端にある関節部６０が座当り１１の連結部１１１と連接しており、且つこの関節部６０と座当り１１との間には、二つの緩衝装置５０が左右に設けられており、ここで、座当り１１が第一部分とされ、なお、この関節部６０が第二部分とされる。図６Ａに示すように、外力を受けているときに、これらの関節部６０が後ろへ揺動可能であり、なお、外力を受けていないときに、緩衝装置５０により関節部６０が元の位置に戻される。
【実施例４】
【００２２】
本考案の実施例４では、椅子の本体１０は座当り１１だけを含み、連結部１１１が座当り１１の後側から上に伸びており、且つ連結部１１１の自由端には背当り２０の枢着軸２１が枢着されている。ここで、座当り１１が第一部分とされ、なお、背当り２０が第二部分とされる。本実施例では、連結部１１１も補償子とされ、すなわち、連結部１１１には連接片３３２が設けられている。また、背当り２０には緩衝装置３０の延在部３１の一端が固定されている。このように、外力を受けていないときに、背当り２０が元の位置に戻され、なお、外力を受けているときに、弾性子３５が圧縮されて背当り２０と座当り１１との開角が変化される。また、本実施例では、椅子が更に枕４０を有し、枕４０と背当り２０との間には、緩衝装置３０とよく似ている緩衝装置５０が設けられており、緩衝装置５０により枕４０と背当り２０との開角が調整される。
【００２３】
次に、図７Ａ及び図７Ｂを参照する。緩衝装置３０は、更に、二つの定位ナット３６を含み、固定ロッド３２には、二つの定位ナット３６が螺着されている螺旋段３７が設けられており、定位ナット３６を回転することにより、定位ナット３６の高さ位置を調整することができ、そして規制ナット３６の穴径が連接穴の穴径よりも大きく、規制ナット３６が二つの連接片３３２の間に設けられていることにより、規制ナット３６のストロークが規制され、すなわち、背当り２０の座当り１１に対する揺動角度が規制される。また、固定ロッド３２の第一端３２１の近傍には他の規制ナット３６が設けられており、この規制ナット３６により背当り２０の復帰角度が規制される。
【実施例５】
【００２４】
図８及び図８Ａを参照する。本考案の実施例５では、枕４０が枢着軸４１を有し、枢着軸４１が背当り２０の上端から延長する連結部２５に枢着されており、ここで、背当り２０が第一部分とされ、なお、枕４０が第二部分とされ、枕４０と背当り２０との間にも緩衝装置５０が設けられており、外力を受けていないときに、図８に示すように、枕４０が元の位置に戻される。
【００２５】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【符号の説明】
【００２６】
１０：本体、１１：座当り、１３：支持部、２０：背当り、２１：枢着軸、２２：フレーム、２４：按摩スリーブ、２５：連結部、３０：緩衝装置、３１：延在部、３２：固定ロッド、３３：連接部、３４：ピン、３５：弾性子、３６：定位ナット、３７：螺旋段、４０：枕、４１：枢着軸、５０：緩衝装置、６０：関節部、１１１：連結部、３１１：規制溝、３２１：第一端、３２２：第二端、３２４：凸縁、３３１：補償子、３３２：連接片。
【図１】
0003149433.tif 000003
【図２】
0003149433.tif 000004
【図３】
0003149433.tif 000005
【図４】
0003149433.tif 000006
【図５Ａ】
0003149433.tif 000007
【図５Ｂ】
0003149433.tif 000008
【図６Ａ】
0003149433.tif 000009
【図６Ｂ】
0003149433.tif 000010
【図７Ａ】
0003149433.tif 000011
【図７Ｂ】
0003149433.tif 000012
【図７Ｃ】
0003149433.tif 000013
【図８Ａ】
0003149433.tif 000014
【図８Ｂ】
0003149433.tif 000015